(57)【要約】【課題】履物反転装置上に載る際の心理的抵抗を軽減することができる履物反転装置補助具および同補助具を備えた補助具付き履物反転装置を提供する。【解決手段】補助具付き履物反転装置１１０は、履物反転装置１１０と履物反転装置補助具１２０とを備えている。履物反転装置１１０は、履物Ｓを支持して反転させる反転テーブル１１２がベース体１１１に対して昇降可能な状態で支持されている。履物反転装置補助具１２０は、ステップ本体１２１に装置収容部１２２および手摺１２３がそれぞれ設けられている。装置収容部１２２は、反転テーブル１１２がステップ面１２１ａ上で露出するとともに反転テーブル１１２とステップ面１２１ａとが同じ高さとなるように履物反転装置１１０を収容可能な有底筒状に形成されている。手摺り１２３は、ステップ面１２１ａ上から起立する脚部１２３ａおよび脚部１２３ａに支持された把持部１２３ｂをそれぞれ備えている。【選択図】  図１
2017202137.tif 000002
【特許請求の範囲】
【請求項１】
履物の向きを自動的に反転させる反転テーブルを有した履物反転装置に用いられる履物反転装置補助具であって、
前記履物を脱ぎ履きする使用者の前方に配置される板状体で構成されるとともに同板状体の上面に平面状のステップ面が形成されたステップ本体を備え、
前記ステップ本体は、
前記ステップ面上に前記反転テーブルを露出させた状態で前記履物反転装置を収容する装置収容部を有し、
前記ステップ面は、
前記装置収容部の少なくとも前記使用者の左右方向の外側に前記反転テーブルと同じ高さで形成されていることを特徴とする履物反転装置補助具。
【請求項２】
請求項１に記載した履物反転装置補助具において、
前記ステップ本体は、
人手によって持ち運び可能な大きさおよび重さに形成されていることを特徴とする履物反転装置補助具。
【請求項３】
請求項１または請求項２に記載した履物反転装置補助具において、
前記ステップ面は、
前記ステップ本体の底面から１００ｍｍ以下の高さに形成されていることを特徴とする履物反転装置補助具。
【請求項４】
請求項１ないし請求項３のうちのいずれか１つに記載した履物反転装置補助具において、
前記ステップ面は、
前記使用者の前後方向に対して左右方向に長く形成されていることを特徴とする履物反転装置補助具。
【請求項５】
請求項１ないし請求項４のうちのいずれか１つに記載した履物反転装置補助具において、
前記装置収容部は、
前記履物反転装置を載置する底部を有することを特徴とする履物反転装置補助具。
【請求項６】
請求項１ないし請求項５のうちのいずれか１つに記載した履物反転装置補助具において、
前記ステップ面は、
前記反転テーブルよりも低い高さに形成されていることを特徴とする履物反転装置補助具。
【請求項７】
請求項１ないし請求項６のうちのいずれか１つに記載した履物反転装置補助具において、
前記ステップ面は、
前記反転テーブルとは異なる色で形成されていることを特徴とする履物反転装置補助具。
【請求項８】
請求項１ないし請求項７のうちのいずれか１つに記載した履物反転装置補助具において、さらに、
前記装置収容部の外側に起立した状態で手摺りが設けられていることを特徴とする履物反転装置補助具。
【請求項９】
履物の向きを自動的に反転させる反転テーブルを有した履物反転装置と、
前記履物反転装置の外側に形成される履物反転装置補助具とを備えた補助具付き履物反転装置であって、
前記履物反転装置補助具は、
前記履物を脱ぎ履きする使用者の前方に配置される板状体で構成されるとともに同板状体の上面に平面状のステップ面が形成されたステップ本体を備え、
前記ステップ本体は、
前記ステップ面上に前記反転テーブルを露出させた状態で前記履物反転装置を収容する装置収容部を有し、
前記ステップ面は、
前記装置収容部の少なくとも前記使用者の左右方向の外側に前記反転テーブルと同じ高さで形成されていることを特徴とする補助具付き履物反転装置。
【発明の詳細な説明】
【技術分野】
【０００１】
本発明は、脱いだ履物の向きを自動的に反転させる履物反転装置に用いられる履物反転装置補助具および同補助具を備えた補助具付き履物反転装置に関する。
【背景技術】
【０００２】
一般に、靴やスリッパなどの履物を脱いだ際には、脱いだ履物の向きを反転させて揃えることが行われている。しかし、履物の向きを揃える作業は、煩雑であるとともに衛生上問題や身体上の都合によって脱いだ履物を揃えることができず脱いだ状態で放置せざるを得ない場合もある。このため、従来から、脱いだ履物の向きを自動的に反転させて揃える履物反転装置が提案されている。例えば、下記特許文献１には、履物が脱ぎ捨てられる回転載置台がベース体に対して上下動および回転変位可能な状態で組み付けられた履物反転装置が開示されている。
【先行技術文献】
【特許文献】
【０００３】
【特許文献１】特開２０１４−１６８６７３号公報
【０００４】
しかしながら、上記した履物反転装置においては、住宅における玄関や庭先の上り口の土間上に直接履物反転装置が配置されるため、使用者においては土間上から突出して一段高くなった履物反転装置上に載ることが躊躇われるという問題がある。
【０００５】
本発明は上記問題に対処するためなされたもので、その目的は、履物反転装置上に載る際の心理的抵抗を軽減することができる履物反転装置補助具および同補助具を備えた補助具付き履物反転装置を提供することにある。
【発明の概要】
【０００６】
上記目的を達成するため、本発明の特徴は、履物の向きを自動的に反転させる反転テーブルを有した履物反転装置に用いられる履物反転装置補助具であって、履物を脱ぎ履きする使用者の前方に配置される板状体で構成されるとともに同板状体の上面に平面状のステップ面が形成されたステップ本体を備え、ステップ本体は、ステップ面上に反転テーブルを露出させた状態で履物反転装置を収容する装置収容部を有し、ステップ面は、装置収容部の少なくとも使用者の左右方向の外側に反転テーブルと同じ高さで形成されていることにある。
【０００７】
このように構成した本発明の特徴によれば、履物反転装置補助具は、履物反転装置における反転テーブルの周囲に同一の高さでステップ面が形成されているため、反転テーブルのみが突出した状態とならず使用者が反転テーブル上に載る際に安心感を与えて心理的抵抗を軽減することができる。なお、ステップ面の高さが反転テーブルと同一の高さとは、両者の高さが厳密に同一であることを意味するものではなく、使用者から見て両者が同一の高さと見える程度の同一であり、例えば、反転テーブルの上面である載置部に対して１０ｍｍ以内の範囲の高さである。
【０００８】
また、本発明の他の特徴は、前記履物反転装置補助具において、ステップ本体は、人手によって持ち運び可能な大きさおよび重さに形成されていることにある。
【０００９】
このように構成した本発明の他の特徴によれば、履物反転装置補助具は、ステップ本体が人手によって持ち運び可能な大きさおよび重さに形成されているため、履物反転装置の設置されている場所に簡単に持ち運んで設置することができるとともに、履物反転装置とともに持ち運ぶこともできる。この場合、人手によって持ち運び可能なステップ本体の重さとしては、３０ｋｇ以下が好適である。
【００１０】
また、本発明の他の特徴は、履物反転装置補助具において、ステップ面は、ステップ本体の底面から１００ｍｍ以下の高さに形成されていることにある。
【００１１】
このように構成した本発明の他の特徴によれば、履物反転装置補助具において、ステップ面がステップ本体の底面から１００ｍｍ以下の高さに形成されているため、使用者が反転テーブル上に載る際に安心感を与えて心理的抵抗を軽減することができるとともに、土間と床との間の中間的な踏み台として利用することができる。
【００１２】
また、本発明の他の特徴は、履物反転装置において、履物反転装置補助具において、ステップ面は、使用者の前後方向に対して左右方向に長く形成されていることにある。
【００１３】
このように構成した本発明の他の特徴によれば、履物反転装置補助具は、ステップ面が履物を脱ぎ履きする使用者の前後方向に対して左右方向に長く形成されているため、使用者が反転テーブル上に載る載り易さを確保しつつ反転テーブル上に載る際の安心感を確保することができる。
【００１４】
また、本発明の他の特徴は、前記履物反転装置補助具において、装置収容部は、履物反転装置を載置する底部を有することにある。
【００１５】
このように構成した本発明の他の特徴によれば、履物反転装置補助具は、装置収容部が履物反転装置を載置する底部を有しているため、履物反転装置補助具の移動とともに履物反転装置を一体的に移動させることができるとともに、履物反転装置の設置場所が水に濡れる機会が多い場所であっても履物反転装置が水に濡れたり浸かったりすることを防止することができる。
【００１６】
また、本発明の他の特徴は、前記履物反転装置補助具において、ステップ面は、反転テーブルよりも低い高さに形成されていることにある。
【００１７】
このように構成した本発明の他の特徴によれば、履物反転装置補助具は、ステップ面が反転テーブルよりも低い高さに形成されているため、使用者が反転テーブル上に足を載せる際に反転テーブルの縁部に足が接触することを防止できるとともに、反転テーブル上に載せた履物が反転テーブルの外にはみ出し難くなり、履物の脱ぎ履きを行い易くすることができる。
【００１８】
また、本発明の他の特徴は、前記履物反転装置補助具において、ステップ面は、反転テーブルとは異なる色で形成されていることにある。
【００１９】
このように構成した本発明の他の特徴によれば、履物反転装置補助具は、ステップ面が反転テーブルとは異なる色で形成されているため、使用者における反転テーブルの視認性を高め履物の脱ぎ履きを行い易くすることができる。
【００２０】
また、本発明の他の特徴は、前記履物反転装置補助具において、さらに、装置収容部の外側に起立した状態で手摺りが設けられていることにある。
【００２１】
このように構成した本発明の他の特徴によれば、履物反転装置補助具は、さらに、装置収容部の外側に起立した状態で手摺りが設けられているため、使用者は手摺りを持ちながら履物の脱ぎ履きを行うことができ使用者に安心感を与えてより一層心理的抵抗を軽減することができる。
【００２２】
また、本発明は、履物反転装置補助具の発明として実施できるばかりでなく、履物反転装置補助具を備えた履物反転装置の発明としても実施できるものである。
【００２３】
具体的には、補助具付き履物反転装置は、履物の向きを自動的に反転させる反転テーブルを有した履物反転装置と、履物反転装置の外側に形成される履物反転装置補助具とを備えた補助具付き履物反転装置であって、履物反転装置補助具は、履物を脱ぎ履きする使用者の前方に配置される板状体で構成されるとともに同板状体の上面に平面状のステップ面が形成されたステップ本体を備え、ステップ本体は、ステップ面上に反転テーブルを露出させた状態で履物反転装置を収容する装置収容部を有し、ステップ面は、装置収容部の少なくとも使用者の左右方向の外側に反転テーブルと同じ高さで形成されていることにある。これによれば、履物反転装置は、前記履物反転装置補助具と同様の作用効果を期待することができる。
【図面の簡単な説明】
【００２４】
【図１】本発明の一実施形態に係る補助具付き履物反転装置の外観構成を概略的に示す斜視図である。
【図２】図１に示す２−２線から見た履物反転装置補助具の装置収容部の内部構成を概略的に示す部分拡大断面図である。
【図３】図１に示す履物反転装置の外観構成を概略的に示す斜視図である。
【図４】図１に示す補助具付き履物反転装置に使用者が載る状態を示す斜視図である。
【図５】図２に示す履物反転装置の反転テーブル上に使用者が載った状態を示す部分拡大断面図である。
【図６】図１に示す補助具付き履物反転装置に使用者の履物が脱ぎ置かれた直後の状態を示す斜視図である。
【図７】図１に示す補助具付き履物反転装置に使用者の履物が脱ぎ置かれた後、反転テーブルが回転した状態を示す斜視図である。
【図８】図２に示す履物反転装置の反転テーブルに使用者の履物が脱ぎ置かれた後、反転テーブルが回転した状態を示す部分拡大断面図である。
【図９】本発明の変形例に係る補助具付き履物反転装置の外観構成を概略的に示す斜視図である。
【発明を実施するための形態】
【００２５】
以下、本発明に係る履物反転装置補助具および補助具付き履物反転装置の一実施形態について図面を参照しながら説明する。図１は、本発明に係る履物反転装置補助具１２０を備えた補助具付き履物反転装置１００の外観構成を概略的に示す斜視図である。また、図２は、図１に示す２−２線から見た履物反転装置補助具１２０の装置収容部１２２の内部構成を概略的に示す部分拡大断面図である。なお、本明細書において参照する図は、本発明の理解を容易にするために一部の構成要素を誇張して表わすなど模式的に表している。このため、各構成要素間の寸法や比率などは異なっていることがある。この補助具付き履物反転装置１００は、一般家庭、企業、公共施設、病院、養護施設、飲食店または宿泊施設などにおいて、外から室内に入るに脱いだ靴やスリッパなどの履物Ｓの向きを自動的に反転させて揃える機械装置である。
【００２６】
（補助具付き履物反転装置１００の構成）
補助具付き履物反転装置１００は、主として、履物反転装置１１０と履物反転装置補助具１２０と構成されている。履物反転装置１１０は、図３に示すように、使用者Ｕが脱いだ履物Ｓの向きを反転させる機械装置であり、主として、ベース体１１１、反転テーブル１１２および反転機構をそれぞれ備えている。
【００２７】
ベース体１１１は、履物反転装置補助具１２０の装置収容部１２２の底部１２２ａ上に配置されて反転テーブル１１２を支持する鋼板製の部品であり、円板状の底板部（図示せず）の外縁部から内壁部１１１ａが起立した有底円筒状に形成されている。
【００２８】
反転テーブル１１２は、使用者Ｕが脱いだ履物Ｓを支持した状態で向きを反転させるための樹脂製の部品であり、円板状の載置部１１２ａの外縁部から外壁部１１２ｂが下垂した状態で形成されている。この場合、反転テーブル１１２は、載置部１１２ａ上に人が載って履物Ｓの脱ぎ履きを行っても耐えられる強度を有して構成されている。また、反転テーブル１１２は、載置部１１２ａがベース体１１１の外形よりも大きく形成されており、外壁部１１２ｂがベース体１１１の外側に下垂するように構成されている。また、反転テーブル１１２は、後述するステップ本体１２１の上面であるステップ面１２１ａとは異なる色に形成されている。本実施形態においては、反転テーブル１１２は、白色に形成されるとともに使用者Ｕの履物Ｓを載せる位置を示す履物の輪郭線を黒色の線で示している。
【００２９】
この反転テーブル１１２は、図示しない反転機構を介してベース体１１１に支持されている。反転機構は、反転テーブル１１２上に使用者Ｕが載置するごとまたは履物Ｓが脱ぎ置かれるごとに反転テーブル１１２をベース体１１１に対して自動的に１８０°だけ回転させて履物Ｓの向きを反対側に向けるための機構である（図３における破線矢印参照）。この反転機構は、歯車、バネおよびダンパーなどを用いて機械的に構成できるほか、これらの機械的構成に加えてまたは代えて電動モータおよびセンサなどを用いて電気的に構成することができるが、これらの構成については公知であるため説明を省略する。
【００３０】
本実施形態においては、履物反転装置１１０は、平面視で直径が４０５ｍｍ、高さ方向の厚さが２６ｍｍ、反転テーブル１１２の上下方向の昇降量が３ｍｍに形成されている。また、履物反転装置１１０は、反転機構が歯車、バネおよびダンパーなどの機械的部品のみで構成されている。
【００３１】
履物反転装置補助具１２０は、平面視で円形に形成された履物反転装置１１０の径方向外側に配置される器具であり、主として、ステップ本体１２１と手摺り１２３とで構成されている。ステップ本体１２１は、履物反転装置１１０および手摺り１２３をそれぞれ支持する木製の部品であり、平面視で長方形状の板状体で構成されている。本実施形態においては、ステップ本体１２１は、長辺が７５０ｍｍ、短辺が５００ｍｍ、厚さが７５ｍｍに形成されている。このステップ本体１２１の上面であるステップ面１２１ａには、装置収容部１２２が形成されるとともに手摺１２３が設けられている。
【００３２】
装置収容部１２２は、前記履物反転装置１１０を収容する部分であり、ステップ面１２１ａの中央部において上方に向かって開口する有底円筒状に形成されている。この装置収容部１２２は、履物反転装置１１０における反転テーブル１１２がステップ面１２１ａ上で露出するように反転テーブル１１２の平面視における大きさよりも大きく開口している。また、装置収容部１２２は、反転テーブル１１２の載置部１１２ａがステップ面１２１ａと略同じ高さになるようにステップ面１２１ａに対する底部１２２ａの深さが形成されている。
【００３３】
ここで、反転テーブル１１２の載置部１１２ａがステップ面１２１ａと略同じ高さとは、両者が完全に同一の高さであることのみを意味するものではなく、使用者Ｕから見て両者が同一の高さに見えれば正確には両者の高さが異なっていたとしても同一の高さである。この場合、反転テーブル１１２の載置部１１２ａがステップ面１２１ａと略同じ高さの範囲としては、両者の高さの差が１０ｍｍ以内である。本実施形態においては、装置収容部１２２は、外径が４２０ｍｍに形成されており、底部１２２ａの深さが２７ｍｍに形成されている。また、底部１２２ａは、水平で平面状に形成されている。したがって、本実施形態においては、反転テーブル１１２は、載置部１１２ａがステップ面１２１ａに対して１ｍｍだけ低い位置に設けられている。
【００３４】
手摺り１２３は、図４に示すように、反転テーブル１１２上に載る使用者Ｕが掴まって安定性を確保するための部品であり、装置収容部１２２に対してステップ本体１２１の長手方向の両側、すなわち、反転テーブル１１２上に載る使用者Ｕの左右方向両側にそれぞれ設けられている。より具体的には、手摺り１２３は、ステップ面１２１ａにおける装置収容部１２２の左右両側からそれぞれ垂直方向に起立する２つの棒状の脚部１２３ａと、これら左右それぞれ２つの脚部１２３ａ間にそれぞれ架設される棒状の把持部１２３ｂとで構成されている。
【００３５】
この場合、各２つの脚部１２３ａは、ステップ本体１２１の長手方向に直交する奥行き方向（前記短辺の方向）に沿って並んで配置されるとともに、一方の脚部１２３ａが他方の脚部１２３ａに比べて長く形成されている。これにより、左右の各把持部１２３ｂは、前記他方の脚部１２３ａ側から前記一方の脚部１２３ａ側に向かって（換言すれば、奥行き方向に沿って）上り傾斜となっている。
【００３６】
また、左右の各把持部１２３ｂは、ステップ本体１２１の奥行き方向の長さよりも長く形成されて、ステップ本体１２１の２つの各長辺から奥行き方向に張り出している。また、左右の各把持部１２３ｂは、履物反転装置１１０上の使用者Ｕの腹部付近の高さにそれぞれ形成されている。この手摺り１２３は、木材またはアルミニウム材などの金属材料で形成されており、図示しないネジなどの取付用部品を介してステップ本体１２１に取り付けられている。
【００３７】
この履物反転装置補助具１２０は、人手で持ち運びできる重さに形成されている。この場合、履物反転装置補助具１２０は、補助具付き履物反転装置１００を設置する設置面Ｇ上において位置や向きが容易にずれない重さ、例えば、５ｋｇ〜３０ｋｇの重さに形成するとよい。本実施形態においては、履物反転装置補助具１２０は１０ｋｇに形成されている。
【００３８】
（補助具付き履物反転装置１００の作動）
次に、上記のように構成した補助具付き履物反転装置１００の作動について説明する。まず、補助具付き履物反転装置１００の使用者Ｕは、履物反転装置１１０および履物反転装置補助具１２０をそれぞれ用意した後、この補助具付き履物反転装置１００を利用する場所に補助具付き履物反転装置１００をセットする。
【００３９】
具体的には、使用者Ｕは、補助具付き履物反転装置１００を利用する玄関などの土間を設置面Ｇとして履物反転装置補助具１２０を配置する。この場合、使用者Ｕは、履物反転装置補助具１２０を玄関内における床面Ｙに隣接する位置に把持部１２３ｂが床面Ｙに向かって上り傾斜となる向きで配置する。
【００４０】
次いで、使用者Ｕは、履物反転装置１１０を履物反転装置補助具１２０にセットする。具体的には、使用者Ｕは、履物反転装置補助具１２０における装置収容部１２２内に履物反転装置１１０を収容する。この場合、使用者Ｕは、履物反転装置１１０におけるベース体１１１を装置収容部１２２の底部１２２ａ上に載置する。これにより、履物反転装置１１０は、ステップ面１２１ａ上に反転テーブル１１２を露出させた状態で装置収容部１２２内に収容される。すなわち、補助具付き履物反転装置１００は、補助具付き履物反転装置１００の使用場所において履物反転装置１１０が履物反転装置補助具１２０内にセットされて完成する（図１参照）。
【００４１】
なお、使用者Ｕは、履物反転装置１１０を履物反転装置補助具１２０にセットして予め補助具付き履物反転装置１００を完成させた状態で使用場所に設置することもできる。また、補助具付き履物反転装置１００の使用場所は、履物Ｓを脱ぎ履きする場所であればよく、必ずしも家庭内に限定されるものではない。この場合、補助具付き履物反転装置１００は、設置面Ｇと床面Ｙとが同じ高さである場所でも使用することができるものである。
【００４２】
次に、使用者Ｕは、補助具付き履物反転装置１００を使用する。具体的には、使用者Ｕは、履物Ｓを履いた状態で設置面Ｇ上から履物反転装置１１０における反転テーブル１１２上に載る。この場合、使用者Ｕは、図４に示すように、手摺り１２３を把持して反転テーブル１１２上に載ることができる。また、この場合、履物反転装置１１０は、図５に示すように、反転テーブル１１２が使用者Ｕの体重によって下降する。
【００４３】
次いで、使用者Ｕは、図６に示すように、履物反転装置１１０上に履物Ｓを脱いだ後、床面Ｙ上に立ち去る。この場合、使用者Ｕは、手摺り１２３を把持して履物Ｓを脱いだ後、床面Ｙ上に立ち去ることができる。一方、履物反転装置１１０は、反転テーブル１１２上から使用者Ｕが立ち去った後においては、図６における破線矢印に示すように、反転機構の作動によって反転テーブル１１２が上昇しながら半回転（１８０°回転）する。これにより、履物反転装置１１０上に脱ぎ置かれた履物Ｓは、図７および図８にそれぞれ示すように、床面Ｙに対して向きが揃えられる。
【００４４】
次に、使用者Ｕは、履物反転装置１１０上の履物を履く。使用者Ｕは、履物Ｓを履いていない状態で床面Ｙ上から履物反転装置１１０における反転テーブル１１２上の履物を履きながら載る。この場合、使用者Ｕは、手摺り１２３を把持して反転テーブル１１２上に載ることができる。また、この場合、履物反転装置１１０は、反転テーブル１１２が使用者Ｕの体重によって下降する。
【００４５】
次いで、使用者Ｕは、履物反転装置１１０上に履物Ｓを履いた後、設置面Ｇ上に立ち去る。この場合、使用者Ｕは、手摺り１２３を把持して履物Ｓを履いた後、設置面Ｇに立ち去ることができる。一方、履物反転装置１１０は、反転テーブル１１２上から使用者Ｕが立ち去った後においては、反転機構の作動によって反転テーブル１１２が上昇しながら半回転（１８０°回転）する。
【００４６】
上記作動説明からも理解できるように、上記実施形態によれば、補助具付き履物反転装置１００および履物反転装置補助具１２０は、履物反転装置１１０における反転テーブル１１２の周囲に略同一の高さでステップ面１２１ａが形成されているため、反転テーブル１１２のみが突出した状態とならず使用者Ｕが反転テーブル１１２上に載る際に安心感を与えて心理的抵抗を軽減することができる。
【００４７】
さらに、本発明の実施にあたっては、上記実施形態に限定されるものではなく、本発明の目的を逸脱しない限りにおいて種々の変更が可能である。
【００４８】
例えば、上記実施形態においては、ステップ本体１２１は、木材を使用者Ｕの左右方向に長い平面視で長方形状に形成した。しかし、ステップ本体１２１は、履物Ｓを脱ぎ履きする使用者Ｕの前方に配置される板状体であって少なくとも使用者Ｕの左右方向にステップ面１２１ａが形成されていればよい。したがって、ステップ本体１２１は、例えば、平面視で円形、楕円形、三角形や正方形などの多角形状または任意の異形形状に形成することができる。
【００４９】
また、これらの場合、ステップ本体１２１は、ステップ面１２１ａを反転テーブル１１２上に載ろうとする使用者Ｕに対して左右方向の長さを前後方向（奥行方向）の長さに対して長く形成するとよい。これによれば、補助具付き履物反転装置１００は、使用者Ｕが反転テーブル１１２上に載る載り易さを確保しつつ反転テーブル１１２上に載る際の安心感を確保することができる。
【００５０】
また、これらの場合、ステップ本体１２１は、木材以外の材料、例えば、樹脂材、金属材またはセラミック材で構成することができる。また、これらの場合、ステップ本体１２１の厚さは、使用者Ｕが設置面Ｇから履物反転装置１１０上に載ることができる高さであればよいが、１００ｍｍ以下が好適である。
【００５１】
また、上記実施形態においては、ステップ本体１２１は、人手によって持ち運び可能な大きさおよび重さに形成した。これにより、使用者Ｕは、履物反転装置補助具１２０を必要な場所に自由に持ち運びできるとともに、設置位置の変更も容易にできる。しかし、ステップ本体１２１は、人手で持ち運びができない重さ（例えば、３０ｋｇ以上）に形成することもできる。これによれば、補助具付き履物反転装置１００は、履物反転装置補助具１２０の安定感を増すことができる。
【００５２】
また、上記実施形態においては、装置収容部１２２は、底部１２２ａを有する有底円筒状に形成した。しかし、装置収容部１２２は、貫通孔に形成することもできる。この場合、履物反転装置１１０は、ステップ本体１２１とともに設置面Ｇ上に配置することになる。なお、装置収容部１２２は、底部１２２ａの一部（例えば、中心部）のみを貫通孔に形成することもできる。
【００５３】
また、上記実施形態においては、反転テーブル１１２は、ステップ面１２１ａに対して１ｍｍだけ低い位置に設けられている。しかし、反転テーブル１１２は、ステップ面１２１ａと完全に同一の高さに形成してもよいし、ステップ面１２１ａよりも高く形成、すなわち、反転テーブル１１２がステップ面１２１ａから突出するように形成することもできる。
【００５４】
また、上記実施形態においては、ステップ面１２１ａは、反転テーブル１１２とは異なる色で構成した。しかし、ステップ面１２１ａは、反転テーブル１１２と同一の色で構成することもできる。
【００５５】
また、上記実施形態においては、履物反転装置補助具１２０は、手摺り１２３を備えて構成した。しかし、履物反転装置補助具１２０は、図９に示すように、手摺り１２３が不要な場合には手摺り１２３を省略して構成することもできる。また、手摺り１２３は、反転テーブル１１２上に載る使用者Ｕが掴まったり手を突いたりして使用者Ｕを支えるように構成されていればよく、種々の形状および材料で構成することができる。
【符号の説明】
【００５６】
Ｓ…履物、Ｇ…設置面、Ｙ…床面、
１００…補助具付き履物反転装置、
１１０…履物反転装置、１１１…ベース体、１１１ａ…内壁部、１１２…反転テーブル、１１２ａ…載置部、１２２ｂ…外壁部、
１２０…履物反転装置補助具、１２１…ステップ本体、１２１ａ…ステップ面、１２２…装置収容部、１２２ａ…底部、１２３…手摺り、１２３ａ…脚部、１２３ｂ…把持部。
【図１】
2017202137.tif 000003
【図２】
2017202137.tif 000004
【図３】
2017202137.tif 000005
【図４】
2017202137.tif 000006
【図５】
2017202137.tif 000007
【図６】
2017202137.tif 000008
【図７】
2017202137.tif 000009
【図８】
2017202137.tif 000010
【図９】
2017202137.tif 000011